(57)【要約】【課題】  合理的に構成された扉体支持装置を得ること。【解決手段】  ピン１００を用いて扉体２００を支持体３００に支持する扉体支持装置において、扉体は、ボルト４１０，４２０にて複数の枠部材２１０，２２０，２３０，２４０を固定してなるものであり、ボルト４１０には、その螺入方向と平行な第1孔部４１１を設け、ピンは、第１孔部に挿入し、ピンの先端は、第１孔部から支持体に向って突出するものとし、枠部材２１０には、ピンを第１孔部へと導くガイド部２１１と、第１孔部に挿入したピンを固定する固定手段とを設け、支持体には、ピンの先端を挿入する第２孔部３０１を設けた。【選択図】図４
2008002060.tif 000002
【特許請求の範囲】
【請求項１】
ピンを用いて扉体を支持体に支持する扉体支持装置において、
前記扉体は、ボルトにて複数の枠部材を固定してなるものであり、
前記ボルトには、その螺入方向と平行な第1孔部を設け、
前記ピンは、前記第１孔部に挿入し、
前記ピンの先端は、前記第１孔部から前記支持体に向って突出するものとし、
前記支持体には、前記ピンの先端を挿入する第２孔部を設けたことを特徴とする扉体支持装置。
【請求項２】
ピンを用いて扉体を支持体に支持する扉体支持装置において、
前記扉体は、ボルトにて複数の枠部材を固定してなるものであり、
前記ボルトには、その螺入方向と平行な第1孔部を設け、
前記ピンは、前記第１孔部に挿入し、
前記ピンの先端は、前記第１孔部から前記支持体に向って突出するものとし、
前記枠部材には、前記ピンを前記第１孔部へと導くガイド部と、前記第１孔部に挿入したピンを固定する固定手段とを設け、
前記支持体には、前記ピンの先端を挿入する第２孔部を設けたことを特徴とする扉体支持装置。
【請求項３】
前記固定手段は、前記ガイド部の要所に第２ボルトを螺合する雌ねじ部を設けるとともに、前記ピンの要所に前記第２ボルトを挿入する通孔を設けてなることを特徴とする請求項２記載の扉体支持装置。
【発明の詳細な説明】
【技術分野】
【０００１】
本発明は、ピンを用いて扉体を支持体に支持する扉体支持装置に関する。
【背景技術】
【０００２】
家具等に設けられる扉体は、蝶番にて支持されている。蝶番としては、用途に応じて様々なのものがあり、例えば特許文献１には、金具が外部に露出しないように構成されたものが開示されている。
【特許文献１】特開２００２―２７６２３２号公報
【発明の開示】
【発明が解決しようとする課題】
【０００３】
さて近年、各種家具はそのザインがますます重視される傾向にあり、家具に扉体を支持する装置についても、機能性、組立て性、及びデザイン性等を向上すべく、更なる工夫が求められている。本発明は、かかる事情に鑑みてなされたものであり、その目的は、合理的に構成された扉体支持装置を提供することである。
【課題を解決するための手段】
【０００４】
本願第１請求項に記載した発明は、ピンを用いて扉体を支持体に支持する扉体支持装置において、前記扉体は、ボルトにて複数の枠部材を固定してなるものであり、前記ボルトには、その螺入方向と平行な第1孔部を設け、前記ピンは、前記第１孔部に挿入し、前記ピンの先端は、前記第１孔部から前記支持体に向って突出するものとし、前記支持体には、前記ピンの先端を挿入する第２孔部を設けた構成の扉体支持装置である。
【０００５】
本願第２請求項に記載した発明は、ピンを用いて扉体を支持体に支持する扉体支持装置において、前記扉体は、ボルトにて複数の枠部材を固定してなるものであり、前記ボルトには、その螺入方向と平行な第1孔部を設け、前記ピンは、前記第１孔部に挿入し、前記ピンの先端は、前記第１孔部から前記支持体に向って突出するものとし、前記枠部材には、前記ピンを前記第１孔部へと導くガイド部と、前記第１孔部に挿入したピンを固定する固定手段とを設け、前記支持体には、前記ピンの先端を挿入する第２孔部を設けた構成の扉体支持装置である。
【０００６】
本願第３請求項に記載した発明は、請求項２において、前記固定手段は、前記ガイド部の要所に第２ボルトを螺合する雌ねじ部を設けるとともに、前記ピンの要所に前記第２ボルトを挿入する通孔を設けてなる構成の扉体支持装置である。
【発明の効果】
【０００７】
本発明によれば、合理的に構成された扉体支持装置を得ることができる。
【発明を実施するための最良の形態】
【０００８】
以下に、本発明の実施例を図面に基づいて詳細に説明する。図１乃至図４に示すように、本例の扉体支持装置は、ピン１００を用いて扉体２００を支持体３００に支持するものである。ピン１００は、扉体２００の左右側面の上部にそれぞれ装着されている。扉体２００は、左右に所定の間隔で設けられた支持体３００に対し、双方のピン１００にて吊るされた状態となっている。この扉体２００は、ピン１００を中心に回転し、その下端が前後方向に揺動する。尚、支持体３００には、扉体２００を所定の位置に係止するあおり止め手段等を設けてもよい。
【０００９】
本例の扉体２００は、ボルト４１０，４２０にて複数の枠部材２１０，２２０，２３０，２４０を固定してなるものである。各枠部材２１０，２２０，２３０，２４０は、矩形の透明板２５０の上下左右をそれぞれ保持するものとなっている。上部の枠部材２１０及び下部の枠部材２２０の両端部には、ボルト４１０，４２０を螺合する雌ねじ部２０１がそれぞれ設けられている。また、左部の枠部材２３０及び右部の枠部材２４０の両端部には、ボルト４１０，４２０を挿入する通孔がそれぞれ設けられている。各枠部材２１０，２２０，２３０，２４０は、通孔２０２に挿入したボルト４１０，４２０を雌ねじ部２０１に螺合して組み付けられる。各ボルト４１０，４２０の螺入方向は、水平となっている。
【００１０】
上部の枠部材２１０の雌ねじ部２０１に螺合するボルト４１０には、その螺入方向と平行な第1孔部４１１を設けている。この第１孔部４１１は、ボルト４１０を貫通するものとなっている。ピン１００は、第１孔部４１１に挿入して設けらる。ピン１００の先端は、第１孔部４１１から支持体３００に向って突出するものとし、支持体３００には、ピン１００の先端を挿入する第２孔部３０１を設けている。
【００１１】
また、上部の枠部材２１０には、ピン１００を第１孔部４１１へと導くガイド部２１１と、第１孔部４１１に挿入したピン１００を固定する固定手段とを設けている。ガイド部２１１は、第１孔部４１１と連通した凹部である。ガイド部２１１の開口は、枠部材２１０の上面又は側面に位置している。
【００１２】
固定手段は、ガイド部２１１の要所に第２ボルト５００を螺合する雌ねじ部２０３を設けるとともに、ピン１００の要所に第２ボルト５００を挿入する通孔１１０を設けて構成されている。ピン１００は、ガイド部２１１に嵌め入れてスライドさせることにより、第１孔部４１１に挿入する。そして、所定の位置において通孔１１０に挿入した第２ボルト５００を雌ねじ部２０３に螺合して固定する。
【００１３】
扉体２００は、各枠部材２１０，２２０，２３０，２４０及び透明板２５０をボルト４１０，４２０にて固定し、これを所定の間隔に規制された左右の支持体３００に対して位置決めしつつ、ピン１００を第１孔部４１１及び第２孔部３０１に挿入し、かかる状態でピン１００を固定手段にて固定することにより、支持体３００に取り付けられる。
【００１４】
このように、本例の扉体支持装置は、簡素な部品にて扉体を支持することができるものである。金具が外部に露出されないので、美観に優れている。扉体の取り付け作業も容易である。特に、ボルトに設けた第１孔部にピンを挿入するので、機械的強度も十分に確保することができる。この扉体支持装置は、例えば、扉体が正面に設けられる時計の筐体に利用することが可能である。尚、本例における各部の構成は、特許請求の範囲に記載した技術的範囲において適宜に設計変更が可能であり、図例説明したものに限定されないことは勿論である。
【産業上の利用可能性】
【００１５】
本発明の扉体支持装置は、家具に設けられる扉体を支持する装置として好適に利用することが可能である。
【図面の簡単な説明】
【００１６】
【図１】本発明の実施例に係り、支持体及び扉体を示す外観図である。
【図２】本発明の実施例に係り、支持体に対し回転する扉体を示す説明図である。
【図３】本発明の実施例に係り、扉体を示す分解図説明図である。
【図４】本発明の実施例に係り、扉体の要部を示す分解説明図である。
【符号の説明】
【００１７】
１００    ピン
１１０    通孔
２００    扉体
２０１    雌ねじ部
２０２    通孔
２０３    雌ねじ部
２１０    上部の枠部材
２１１    ガイド部
２２０    下部の枠部材
２３０    左部の枠部材
２４０    右部の枠部材
２５０    透明板
３００    支持体
３０１    第２孔部
４１０    ボルト
４１１    第１孔部
４２０    ボルト
５００    第２ボルト
【図１】
2008002060.tif 000003
【図２】
2008002060.tif 000004
【図３】
2008002060.tif 000005
【図４】
2008002060.tif 000006